(57)【要約】【課題】  硬貨を代表とするコイン類は、数が多くなると所持が不便になるし、計数も面倒である。これを解消するために、コインケースその他が種々提案されており現実に市販もされているが、コストが高くて使い捨てしにくく、また嵩張るものも多かった。【解決手段】  予め設定された種類のコインを予め設定された枚数だけ並べて収納するためのシートであって、１枚の矩形紙より成り、各コイン収納箇所には、コインの厚み程度の幅のスリットが２条平行に開けられている。【選択図】  図１
2013017764.tif 000002
【特許請求の範囲】
【請求項１】
予め設定された種類のコインを予め設定された枚数だけ並べて収納するためのシートであって、１枚の矩形紙より成り、各コイン収納箇所には、コインの厚み程度の幅のスリットが２条平行に開けられていることを特徴とするコイン収納シート。
【請求項２】
各コイン収納箇所には、コインを収納した時、該コイン周縁部近傍に相当する位置に、紙変形に起因する突起が少なくとも１つ設けられて成る請求項１記載のコイン収納シート。
【発明の詳細な説明】
【技術分野】
【０００１】
本発明は、とかくバラバラとなって扱いに困る硬貨（コイン）を設定枚数単位で収納することで、収納をコンパクトにし、一旦収納後は計数も不必要になる、よって支払いも容易になる、というシートの構造に関するものである。
【背景技術】
【０００２】
一般に流通している硬貨は、１円、５円、１０円、５０円、１００円、５００円の６種類である。支払いに際しては、１円を４枚、５円を１枚、１０円を４枚、５０円を１枚、１００円を４枚、５００円を１枚、合計１５枚準備しておけば、１円から９９９円までの全金額の支払いに対応できることになり、これを超える額については紙幣（日本銀行券）を併用することで、釣り銭なしの支払いができる。
【０００３】
ところが実際には、財布の中に支払いに適した最小枚数（１５枚）のみが入っているということは少なく、例えば１円硬貨も１０円硬貨も１０枚以上あるが１００円硬貨は２枚しかない、といった「偏った所持」となることも多い。
しかし一般的には、偏ってきた段階で多すぎる枚数の硬貨をできるだけ消費するような支払いに努める、という程度の対処がなされるに過ぎず、どうしても硬貨は溜まってしまいやすい。余剰の硬貨を自宅の貯金箱等に入れておき、買い物に出かける時にここから適当な種類の硬貨を適当な枚数取り出し、消化するようにすることもあり得る。
【０００４】
しかし、結局は財布の中、或いは自宅の硬貨入れ、等々に硬貨が溜まり、いつしか消化不可能な枚数まで増えてしまう、という状況が実に多い。最終的には、銀行や郵便局を利用して両替するか通帳への入金をするしかないが、これを面倒に感じる人が多い。
【０００５】
そこで、複数種多数の硬貨を分別収納しておくコインケース、或いはシート状に収納しておき財布にも入れておけるもの、等々が提案され市販もされている。
【先行技術文献】
【特許文献】
【０００６】
【特許文献１】実用新案出願公開平成３年第１１０５７５号
【特許文献２】実用新案出願公開平成１年第１１７２１８号
【発明の概要】
【発明が解決しようとする課題】
【０００７】
しかし、嵩張っていて常時持ち歩くには適さないものや、札入れにも入れておけるようにしたというものでも実際には複数枚のシートを重ねた構造でありコスト面・コンパクトさで問題があるものしか存在しておらず、いずれも理想的なものとはなっていない。
【課題を解決するための手段】
【０００８】
そこで本発明者は、この点に鑑み鋭意研究の結果遂に本発明を成したものであり、その特徴とするところは、予め設定された種類のコインを予め設定された枚数だけ並べて収納するためのシートであって、１枚の矩形紙より成り、各コイン収納箇所には、コインの厚み程度の幅のスリットが２条平行に開けられている点にある。
【０００９】
即ち本発明によれば、例えば１枚のシートに１円硬貨を２０枚収納しておきこれを札入れに入れておけば、支払い時、あたかも「２０円紙幣」のように取り扱うことができるものとなる。
【００１０】
なお本発明においてシートは、１枚の矩形紙から成る。「矩形」とは、幾何学上の矩形をのみ指すのではなく、例えば４頂点部分に丸みを持たせたもの、小さな直角二等辺三角形を切り取ったものなどもこの概念に含まれるものとする。
「紙」は、パルプを材料とする薄片を指し、プラスチックをラミネートした多層構造体も紙の概念に含む。
この矩形紙が１枚で本発明シートは構成される。１枚であるので嵩張らず、札入れ等への収納性が高い。また、製造単価を抑えることが容易なので、支払いの際に、そのまま相手に渡しても問題がない。更に、紙１枚であるので処分しやすい。
【００１１】
このシートに、予め設定された種類のコインを予め設定された枚数だけ並べて収納するのであるが、コインは硬貨に限定はしない。例えば、ゲーム機用コインであっても良いものとする。
【００１２】
シートの大きさについては特に限定しないが、携行の便を勘案すると、札入れに収まるサイズ、即ち１万円札の大きさ又はこれより僅かに小さい大きさにすると便利である。或いは、札入れに収納しないものとするならば、ハガキサイズや文庫本サイズとすると、バッグ類に入れて携帯しやすいものとなる。
【００１３】
１枚のシートに収納するコインの枚数は、１０枚単位であることが好ましい。更に言うと、「通貨の単位及び貨幣の発行等に関する法律」第７条の「貨幣は、額面価格の２０倍までを限り、法貨として通用する」に照らすと、硬貨２０枚を超えての支払いにあっては受け取りが拒まれることもあり得る。本発明においては、１枚のシートに収納されるのは同額硬貨（正確には同種のコイン）であるので、設定枚数は、１０枚或いは２０枚とするのが好ましい。
【００１４】
なお、コインの種類によって大きさが異なる場合、シートは種類別となる。例えば硬貨の場合、１円硬貨収納用シート、５円硬貨収納用シート、・・・を準備しておくことになる。本発明者が試作したところでは、１万円札の大きさのシートに収納する場合、１円、５円、１０円、５０円、１００円硬貨は２０枚収納可能であったが、５００円硬貨２０枚は、配置できなかった。そこで、１万円札の大きさのシートに限って言うと、全てを１０枚収納タイプとするか、５００円硬貨は１０枚、他は２０枚を設定枚数とすることで対応するのが好ましい。
【００１５】
コインは、予め設計されたコイン収納箇所に収納される。各コイン収納箇所には、コインの厚み程度の幅のスリットが２条平行に開けられている。即ちスリットの大きさは、幅に関しては「コインの厚み程度」としているが、長さに関しては限定していない。また、スリットのレイアウトについては、隣接するコイン収納箇所に設けられたスリットと近接してしまうと破れやすくなるので、その点を勘案して設計するべきである。
【００１６】
コインの収納の形態は２種類ある。
一つは、コインの一方の端部を片方のスリットに嵌め込み、そのまま他方のスリットに逆側のコイン端部を嵌め込むという形態である。
もう一つは、片方のスリットにコインの一部を差し込み、一旦裏側に突出したコインを他方のスリットに差し込んで表側に出す、という手順で収納してゆく形態である。
【００１７】
前者の形態では、コインの直径部分はスリットを通過しないので、スリット長さは短くて良い（更に言えば、直径を超える長さにしてしてしまうとスリットからコインが抜け落ちてしまう危険性があるので避けるべきである）。
後者の形態では、コインの直径部分はスリットを通過するので、コイン直径以上の長さが必要となる。
そしていずれの場合も、収納時スリット近辺部分はシート面からコイン厚み分だけ浮き上がるので、当該部分の紙は変形することになる。この変形によって、シートが断裂してしまうのは好ましくない。そこで、シート自体の強度や厚みを勘案しながらスリットの最適長さを設計すれば良い。スリットの厚みについては、コインを差し込む際にシートが変形しにくく、簡単に抜落することもないようにする、という目的を達成するために、コインの厚み程度とした。
【００１８】
収納されたコインは、シートとの摩擦力と、変形したシートの復元力とによって保持されることになる。しかし、振動その他によって次第にスリットから抜け落ちる可能性はある。そこで請求項２において、抜け落ち防止構造を提案した。これは、収納された各コインの周縁外側近傍に、シートを変形させて形成される突起を１乃至複数個設けることによって達成できる。この突起の形成方法は限定しないが、例えば点筆で点字を作成する要領で形成できる。突起は形成されるが紙は破壊しないようにするの好ましい。突起の形状についても限定しない。更に、シートの材質についても、突起の形成が容易であり、一旦形成した突起の形状保持が長期図れるものであることが好ましいが、これらについては上記点字打ち込み用紙と同様のものを援用すれば良く、ここで詳述はしない。
【００１９】
このような構成の本発明コイン収納シートの製品としての形態は、硬貨収納用の場合には、１円、５円、１０円、５０円、１００円、５００円の６種類の収納シート各１枚ずつセットにして包装しても良いし、個々独立して包装しても良い。
これらは、文房具として販売するものであっても良いし、販促用景品として配布するようにしても良い。
また、シートの片面或いは両面に印刷を施すことで広告媒体としても機能する。
【発明の効果】
【００２０】
本発明に係るコイン収納シートは、以下述べる如き効果を有する極めて高度な発明である。
（１）  一旦シートにコインを収納しておけば、その後は計数しなくて良いので、コイン管理が容易である。
（２）  シートの大きさを予め札入れ収納に適したサイズとしておき、ここに硬貨を収納しておけば、携行容易となる。
（３）  １枚のシートの一部を切欠するだけの構造であるので、嵩張らず、廃棄処理も容易である。
（４）  １枚のシートに単純な加工を施すだけで完成するものであって製品単価を低くしやすいので、景品や販促品として無料で配布しやすいし新聞折り込みとしても用いることができ、また広告媒体としても利用しやすいものである。
【図面の簡単な説明】
【００２１】
【図１】本発明に係るコイン収納シートの一例を示す概略平面図である。
【図２】図１のコイン収納シートにコインを収納した状態を示す概略部分平面図である。
【図３】本発明に係るコイン収納シートの、スリットについての他の例に、コインを収納した状態を示す概略部分平面図である。
【図４】（ａ）（ｂ）（ｃ）は、図３の例のコイン収納シートにコインを収納する状態を、経時的且つ概略的に示すいずれも断面図である。
【図５】本発明の更に他の例を示す部分斜視図である。
【発明を実施するための形態】
【実施例１】
【００２２】
図１は、本発明に係るコイン収納シート１（以下「本発明シート１」という）の一例を示すものであり、図より明らかなように本発明シート１は、１枚の矩形紙より成るものであって、１円硬貨を２０枚収納するものである。本例の場合、表側には、１円硬貨の大きさよりも少し大きめの円が印刷によって色分けされており、この円が、個々コイン収納箇所２であることを視覚に訴えている。円同士は一部重なっているが、収納される１円硬貨同士が重なることにはならない。なおコインの大きさと同一又は小さめにしておいても良いし、色分けではなく円周線を印刷しておくだけでも良い。
また本例の本発明シート１は、１万円紙幣のサイズ（７６ｍｍ×１６０ｍｍ）に収まるサイズとすることで札入れに入れることができるようにしており、シート上に２０個のコイン収納箇所２が設けられていることになる。
【００２３】
各コイン収納箇所２には、２本のスリット２１・２１が刻設されている。スリット２１は長円形状であってその幅は約１．５ｍｍあり、１円硬貨の厚さにほぼ等しい。また各スリット２１の長さは約１５ｍｍ、スリット２１同士の距離は約１４．５ｍｍである。スリット２１全体のレイアウトは、強度確保と外観とを勘案して設計されるものであり、本例の場合、隣接する収納箇所２のスリット２１と９０度の角度で交互にずれるように配置しているが、本発明はこの配置に限定するものではない。
【００２４】
なお図示は省略するが本発明シート１は、これ（１円硬貨用）以外に、５円、１０円、５０円、１００円硬貨用のものも、２０個のコイン収納箇所２を１万円紙幣のサイズ（７６ｍｍ×１６０ｍｍ）に収まるよう配置したものがある。
硬貨の大きさが個々異なるので、コイン収納箇所２の大きさ、スリット２１の設置位置や大きさ、は各硬貨に応じたものとなるよう設計されている。
【００２５】
ところで５００円硬貨に関しては、１万円紙幣のサイズに２０枚収めることができないこと、他の硬貨に比して５００円硬貨は、知らない間に増えすぎてしまうという可能性が低いこと、等々を勘案して、コイン収納箇所２を１０個設けたものが好適である。
【００２６】
図２は、本例の本発明シート１のコイン収納箇所２にコインＣ（１円硬貨）を収納した状態を示すものである。コインＣの収納方法について説明すると、まず片方のスリット２１にコインＣを差し込む。この時最終的に差し込まれる深さよりも一旦は深く差し込む必要があり、その後、深く差し込んだ距離を戻すようにしてもう片方のスリット２１にコインＣの他端を差し入れる。
コインＣの両端はスリット２１部分でシートの裏側に隠れることになるわけであるが、それによってコイン収納箇所２の一部（Ａ部分）が浮き上がることになる。即ち、Ａ部分を浮き上がらせるためにシートは変形を余儀なくされる。
本発明シート１は、この変形によって破断するものであってはならないので、相応の強度（耐変形性）を有する紙を採用すべきである。またシートの厚さについても注意が必要である。Ａ部分の浮き上がり距離はコインの厚さとシートの厚さの合計となるため、厚くすると変形量が大きくなり破断しやすくなるからである。
【実施例２】
【００２７】
次に図３は、コイン収納箇所２部分についての他の実施例を示すものである。
本例は、コインＣの両端ではなく直径付近がシートの裏側に隠れるように２本のスリット２１が配置される。従って浮き上がることになるＡ部分は、前例では２箇所であったが本例では１箇所となる。また本例の場合、２本のスリット２１のうち少なくとも一方は、コインＣの直径部分が通過することになるので、スリット２１の長さは、紙変形分を考慮して直径よりもある程度長くしておく必要がある。２本のスリット２１のどちら側からコインＣを入れても収納できるようにするには、両方ともコインＣ直径よりも長くしておけば良い。なおスリット２１の幅については前例と同様、収納するコインＣの厚みとほぼ同じである。
【００２８】
図４（ａ）（ｂ）（ｃ）は、図３の例の本発明シート１にコインＣを収納する方法の一例を、経時的且つ概略的に示すものである。
まず、一方のスリット２１にコインＣを差し込む〔同図（ａ）〕。スリット２１の幅はコインＣの厚み程度であるので、シート面に対しておおよそ直角にコインＣを差し込めば紙変形を起こさず挿入できる。なおスリット２１の長さはコインＣの直径以上あるので貫通させることも可能であるが、わずかな長さ（両スリット２１の離間距離程度）だけ差し入れるようにすると良い。
【００２９】
次に、コインＣを倒して、両スリット２１の間隙部分に形成されている橋状部分（Ａ部分）を浮き上がらせる〔同図（ｂ）〕。この時シートは変形することになる。差し入られたコインＣの長さが長いと、他方のスリット２１は、その貫通方向がシート面に対して鉛直という状態のまま浮き上がるが、適当な長さの場合には紙変形によって貫通方向が鉛直ではなくなってゆくことになり、収納容易となる。
【００３０】
その後、コインＣを他方のスリット２１に差し入れ、スライドさせて収納作業が完了する〔同図（ｃ）〕。実際には、両手を用いて収納することが多いので、これらの動作に特段の困難性はない。
【実施例３】
【００３１】
図４（ｃ）の状態でコインＣは、シートとの摩擦力と、Ａ部分の変形に由来する復元力によって位置が保持されることになる。本発明者が試作実験した範囲では、それで充分に保持されたし、例えばコインを収納した本発明シート１を札入れに入れた場合、札入れ内で大きな摩擦力が得られるため、収納したコインＣが簡単に抜落することはない。しかし振動その他によって保持位置がズレたり、場合によっては抜落してしまう可能性はあると言える。そこで図５の如く、収納されるコインＣの周縁外側に突起２２を設けて、これに対処するようにしても良い。図では、片方のみに２つの突起２２を設けているが、両方に設けても良い。片方に設けた場合には抜落を防止する方向も片方に限られるという問題はあるが収納作業は簡単になる。両方に設けた場合には、突起収納作業は突起２２が邪魔になる可能性もあるが、抜落防止は両方向に機能するためより安全なものとなる。
【００３２】
突起２２は、点筆によって形成される点字のような形状のものを試作し、図面にも描出したが、長さのある突起としても良い。また、突起の形成方法については全く限定しないのでどのような手法で形成しても本発明に含まれる。
【符号の説明】
【００３３】
１    本発明に係るコイン収納シート
２    コイン収納箇所
２１  スリット
２２  突起
Ｃ    コイン
Ａ    浮き上がり部分
【図１】
2013017764.tif 000003
【図２】
2013017764.tif 000004
【図３】
2013017764.tif 000005
【図４】
2013017764.tif 000006
【図５】
2013017764.tif 000007